(57)【要約】【課題】料理をするユーザにとっての使い勝手を向上させることができる技術を提供する。【解決手段】サーバは、冷蔵庫から受信した庫内食材情報に基づいて、その庫内食材情報で表される食材を用いた少なくとも１つの料理のレシピを特定し、特定した少なくとも１つのレシピと庫内食材情報とに基づいて、各レシピについて庫内食材情報で表される食材だけでは食材が不足する場合は不足食材を特定し、特定した不足食材が前記冷蔵庫のユーザに配送される際の配送日時を特定し、特定した配送日時とレシピとに基づいて、ユーザが料理を作ることができる料理可能日時を特定し、特定した料理可能日時が前記冷蔵庫から受信した目標日時よりも早い場合は、その場合におけるレシピと不足食材を表す不足食材情報とを前記冷蔵庫に送信する。前記冷蔵庫の前記制御部は、前記サーバから受信したレシピと不足食材情報とを前記表示部に表示する。【選択図】図１
2020041714.tif 000002
【特許請求の範囲】
【請求項１】
冷蔵庫と、
前記冷蔵庫と通信可能なサーバと、を備えている冷蔵庫システムであって、
前記冷蔵庫は、
料理に関する情報が表示される表示部と、
料理に関する目標日時が入力される入力部と、
前記入力部で入力された目標日時と、前記冷蔵庫内の食材を表す庫内食材情報とを前記サーバに送信する制御部と、を備えており、
前記サーバは、
前記冷蔵庫から受信した庫内食材情報に基づいて、その庫内食材情報で表される食材を用いた少なくとも１つの料理のレシピを特定し、
特定した少なくとも１つのレシピと庫内食材情報とに基づいて、各レシピについて庫内食材情報で表される食材だけでは食材が不足する場合は不足食材を特定し、
特定した不足食材が前記冷蔵庫のユーザに配送される際の配送日時を特定し、
特定した配送日時とレシピとに基づいて、ユーザが料理を作ることができる料理可能日時を特定し、
特定した料理可能日時が前記冷蔵庫から受信した目標日時よりも早い場合は、その場合におけるレシピと不足食材を表す不足食材情報とを前記冷蔵庫に送信し、
前記冷蔵庫の前記制御部は、前記サーバから受信したレシピと不足食材情報とを前記表示部に表示する、冷蔵庫システム。
【請求項２】
前記冷蔵庫は、前記冷蔵庫内の食材を検出する検出部を備えており、
前記制御部は、前記検出部が検出した前記冷蔵庫内の食材を表す庫内食材情報を前記サーバに送信する、請求項１に記載の冷蔵庫システム。
【請求項３】
前記入力部は、前記冷蔵庫内の食材を表す庫内食材情報を入力可能であり、
前記制御部は、前記入力部で入力された庫内食材情報を前記サーバに送信する、請求項１に記載の冷蔵庫システム。
【請求項４】
前記入力部は、前記表示部に表示された不足食材情報で表される食材を発注する発注情報を入力可能であり、
前記制御部は、前記入力部で入力された発注情報を前記サーバに送信する、請求項１から３のいずれか一項に記載の冷蔵庫システム。
【請求項５】
レシピには、料理の所要時間を表す情報が含まれており、
前記サーバは、
特定した配送日時とレシピとに基づいて、ユーザが料理を作ることができる料理可能日時を特定する際に、料理の所要時間に基づいて、料理が完了する料理完了日時を特定し、
特定した料理完了日時が前記冷蔵庫から受信した目標日時よりも早い場合は、その場合におけるレシピと不足食材情報とを前記冷蔵庫に送信する、請求項１から４のいずれか一項に記載の冷蔵庫システム。
【請求項６】
前記制御部は、前記サーバから受信したレシピと不足食材情報とを前記表示部に表示する際に、料理可能日時が早い順で表示し、表示する不足食材情報が無い場合は、その場合のレシピを最も早い順で表示する、請求項１から５のいずれか一項に記載の冷蔵庫システム。
【請求項７】
庫内食材情報には、食材の賞味期限を表す情報が含まれており、
前記制御部は、前記サーバから受信したレシピと不足食材情報とを前記表示部に表示する際に、庫内食材情報に基づいて、食材の賞味期限が早い順で表示する、請求項１から５のいずれか一項に記載の冷蔵庫システム。
【請求項８】
前記サーバは、レシピと不足食材情報とを前記冷蔵庫に送信する際に、不足食材を販売する店舗が有する不足食材に関する情報を前記冷蔵庫に送信し、
前記制御部は、前記サーバから受信したレシピと不足食材情報とを前記表示部に表示する際に、店舗における不足食材に関する情報に基づいて所定の順で表示する、請求項１から５のいずれか一項に記載の冷蔵庫システム。
【請求項９】
前記入力部は、優先度を表す情報を入力可能であり、
前記制御部は、前記サーバから受信したレシピと不足食材情報とを前記表示部に表示する際に、前記入力部で入力された優先度の順で表示する、請求項１から５のいずれか一項に記載の冷蔵庫システム。
【請求項１０】
前記冷蔵庫と前記サーバと通信可能な携帯端末装置を更に備えており、
前記携帯端末装置は、
料理に関する情報が表示される表示部と、
料理に関する目標日時が入力される入力部と、
前記入力部で入力された目標日時を前記サーバに送信する制御部と、を備えており、
前記サーバは、
特定した料理可能日時が前記携帯端末装置から受信した目標日時よりも早い場合は、レシピと不足食材情報とを前記携帯端末装置に送信し、
前記携帯端末装置の前記制御部は、前記サーバから受信したレシピと不足食材情報とを前記携帯端末装置の表示部に表示する、請求項１から９のいずれか一項に記載の冷蔵庫システム。
【発明の詳細な説明】
【技術分野】
【０００１】
本明細書に開示する技術は、冷蔵庫システムに関する。
【背景技術】
【０００２】
特許文献１に冷蔵庫システムが開示されている。特許文献１の冷蔵庫システムは、冷蔵庫と、冷蔵庫と通信可能なサーバとを備えている。冷蔵庫システムの冷蔵庫は、表示部、入力部及び制御部を備えている。冷蔵庫の制御部は、サーバが提供する献立情報を受け取り、献立情報を表示部に表示する。
【先行技術文献】
【特許文献】
【０００３】
【特許文献１】特開２００２−２５１５１８号公報
【発明の概要】
【発明が解決しようとする課題】
【０００４】
特許文献１の冷蔵庫システムでは、ユーザが料理を開始または終了する日時が考慮されていない。ユーザが料理を開始または終了する日時は各ユーザによって様々である。しかしながら特許文献１の冷蔵庫システムではその点が考慮されていないので、料理をするユーザにとっての使い勝手に問題があった。本明細書は、料理をするユーザにとっての使い勝手を向上させることができる技術を提供する。
【課題を解決するための手段】
【０００５】
本明細書に開示する冷蔵庫システムは、冷蔵庫と、前記冷蔵庫と通信可能なサーバと、を備えている。前記冷蔵庫は、料理に関する情報が表示される表示部と、料理に関する目標日時が入力される入力部と、前記入力部で入力された目標日時と、前記冷蔵庫内の食材を表す庫内食材情報とを前記サーバに送信する制御部と、を備えている。前記サーバは、前記冷蔵庫から受信した庫内食材情報に基づいて、その庫内食材情報で表される食材を用いた少なくとも１つの料理のレシピを特定し、特定した少なくとも１つのレシピと庫内食材情報とに基づいて、各レシピについて庫内食材情報で表される食材だけでは食材が不足する場合は不足食材を特定し、特定した不足食材が前記冷蔵庫のユーザに配送される際の配送日時を特定し、特定した配送日時とレシピとに基づいて、ユーザが料理を作ることができる料理可能日時を特定し、特定した料理可能日時が前記冷蔵庫から受信した目標日時よりも早い場合は、その場合におけるレシピと不足食材を表す不足食材情報とを前記冷蔵庫に送信する。前記冷蔵庫の前記制御部は、前記サーバから受信したレシピと不足食材情報とを前記表示部に表示する。
【図面の簡単な説明】
【０００６】
【図１】第１実施例に係る冷蔵庫システムのブロック図である。
【図２】第１実施例に係る冷蔵庫の正面図である。
【図３】庫内食材の一例を示す図である。
【図４】第１実施例に係る第１冷蔵庫側処理のフローチャートである。
【図５】第１実施例に係るサーバ側処理のフローチャートである（１）。
【図６】レシピの一例を示す図である。
【図７】不足食材の一例を示す図である。
【図８】不足食材に関する情報の一例を示す図である。
【図９】第１実施例に係るサーバ側処理のフローチャートである（２）。
【図１０】料理可能日時の一例を示す図である。
【図１１】第１実施例に係る第２冷蔵庫側処理のフローチャートである。
【図１２】冷蔵庫の表示部に表示される情報の一例を示す図である。
【図１３】第２実施例に係る冷蔵庫システムのブロック図である。
【図１４】第２実施例に係る冷蔵庫の正面図である。
【図１５】第３実施例に係るサーバ側処理のフローチャートである。
【図１６】料理完了日時の一例を示す図である。
【図１７】第３実施例に係る第２冷蔵庫側処理のフローチャートである。
【図１８】第７実施例に係る第１携帯端末装置側処理のフローチャートである。
【図１９】第７実施例に係る第２携帯端末装置側処理のフローチャートである。
【発明を実施するための形態】
【０００７】
（第１実施例）
第１実施例に係る冷蔵庫システムについて図面を参照して説明する。図１に示すように、第１実施例に係る冷蔵庫システム１は、管理サーバ１０と、店舗サーバ２００と、複数の冷蔵庫２０（２０ａ、２０ｂ、２０ｃ）と、複数の携帯端末装置３０（３０ａ、３０ｂ、３０ｃ）とを備えている。冷蔵庫システム１の管理サーバ１０と、店舗サーバ２００と、各冷蔵庫２０（２０ａ、２０ｂ、２０ｃ）と、各携帯端末装置３０（３０ａ、３０ｂ、３０ｃ）とは、ネットワーク５０を介して通信可能に接続されている。ネットワーク５０は、例えばインターネットやＶＰＮ（Virtual Private Network）である。
【０００８】
以下では、複数の冷蔵庫２０（２０ａ、２０ｂ、２０ｃ）のうちの１個の冷蔵庫２０ａについて説明する。その他の冷蔵庫２０ｂ、２０ｃについては、代表で説明する１個の冷蔵庫２０ａと同様の構成であるので詳細な説明を省略する。同様に、以下では、複数の携帯端末装置３０（３０ａ、３０ｂ、３０ｃ）のうちの１個の携帯端末装置３０ａについて説明する。その他の携帯端末装置３０ｂ、３０ｃについては、代表で説明する１個の携帯端末装置３０ａと同様の構成であるので詳細な説明を省略する。
【０００９】
冷蔵庫システム１の冷蔵庫２０ａは、冷蔵庫２０ａのユーザの家の中に配置されている。例えばユーザの家のキッチンの中に冷蔵庫２０ａが配置されている。冷蔵庫システム１の冷蔵庫２０ａは、例えば冷蔵室、冷凍室、野菜室、製氷室等（図示省略）を備えている。冷蔵庫２０ａの庫内には複数の食材が保管されている。例えば、冷蔵庫２０ａの冷蔵室の中に卵等が保管されており、野菜室の中に人参等が保管されている。冷蔵庫２０ａは、庫内に保管されている食材を冷却する。
【００１０】
図２に示すように、冷蔵庫システム１の冷蔵庫２０ａは、冷蔵庫本体４０ａを備えている。冷蔵庫本体４０ａの中に食材が保管されている。冷蔵庫本体４０ａは、例えば開き扉や引き扉等を備えている。また、冷蔵庫本体４０ａは、図１に示すように、制御部４１と、表示部４４と、入力部４５とを備えている。制御部４１は、ＣＰＵ４２と、メモリ４３と、ＲＴＣ４７とを備えている。ＣＰＵ４２は、メモリ４３に記憶されているプログラムに従って様々な処理を実行する。メモリ４３は、例えばＲＯＭとＲＡＭ（図示省略）を備えている。メモリ４３は、様々な情報を記憶する。ＲＴＣ４７は、時計としての機能を有しており、時刻を計ることができる。冷蔵庫２０ａの制御部４１が実行する情報処理については後述する。
【００１１】
冷蔵庫本体４０ａの表示部４４は、例えば液晶パネルを備えている。表示部４４は、冷蔵庫２０ａの各機能や各動作に関する情報を表示する。表示部４４は、冷蔵庫２０ａのユーザが作る料理に関する情報を表示する。また、冷蔵庫本体４０ａの入力部４５は、例えば冷蔵庫２０ａの各機能や各動作を実行するための複数のボタンを備えている。入力部４５は、冷蔵庫２０ａのユーザによる入力を受け付ける。冷蔵庫２０ａのユーザが入力部４５から様々な情報を入力することができる。例えば、冷蔵庫２０ａのユーザが、冷蔵庫２０ａの庫内に保管されている食材を表す情報（庫内食材情報、図３参照）を入力部４５から入力することができる。また、冷蔵庫２０ａのユーザが、料理に関する目標日時を入力部４５から入力することができる。冷蔵庫２０ａのユーザが入力部４５のボタンを操作すると、操作されたボタンに従った信号が入力部４５から制御部４１に送信される。表示部４４と入力部４５とは、例えば冷蔵庫本体４０ａの扉の正面の位置に配置されている。表示部４４と入力部４５とは、タッチパネルとして一体に構成されていてもよい。
【００１２】
冷蔵庫システム１の携帯端末装置３０ａは、例えばスマートフォンやタブレットＰＣである。携帯端末装置３０ａは、制御部６１と、表示部６４と、入力部６５とを備えている。制御部６１は、ＣＰＵ６２と、メモリ６３と、ＲＴＣ６７とを備えている。ＣＰＵ６２は、メモリ６３に記憶されているプログラムに従って様々な処理を実行する。メモリ６３は、例えばＲＯＭとＲＡＭ（図示省略）を備えている。メモリ６３は、様々な情報を記憶する。ＲＴＣ６７は、時計としての機能を有しており、時刻を計ることができる。携帯端末装置３０ａの制御部６１が実行する情報処理については後述する。
【００１３】
携帯端末装置３０ａの表示部６４は、例えば液晶パネルを備えている。表示部６４は、冷蔵庫２０ａ（または、携帯端末装置３０ａ）の各機能や各動作に関する情報を表示する。表示部６４は、冷蔵庫２０ａ（または、携帯端末装置３０ａ）のユーザが作る料理に関する情報を表示する。また、携帯端末装置３０ａの入力部６５は、例えば冷蔵庫２０ａ（または携帯端末装置３０ａ）の各機能や各動作を実行するための複数のボタンを備えている。入力部６５は、冷蔵庫２０ａ（または、携帯端末装置３０ａ）のユーザによる入力を受け付ける。冷蔵庫２０ａ（または、携帯端末装置３０ａ）のユーザは入力部６５から様々な情報を入力することができる。例えば、冷蔵庫２０ａ（または、携帯端末装置３０ａ）のユーザが、冷蔵庫２０ａの庫内に保管されている食材を表す情報（庫内食材情報、図３参照）を入力部４５から入力することができる。また、冷蔵庫２０ａ（または、携帯端末装置３０ａ）のユーザが、料理に関する目標日時を入力部４５から入力することができる。冷蔵庫２０ａ（または、携帯端末装置３０ａ）のユーザが入力部４５のボタンを操作すると、操作されたボタンに従った信号が入力部６５から制御部６１に送信される。携帯端末装置３０ａの表示部６４と入力部６５とは、タッチパネルとして一体に構成されていてもよい。
【００１４】
冷蔵庫システム１の管理サーバ１０は、店舗サーバ２００、冷蔵庫２０ａ及び携帯端末装置３０ａと通信可能に接続されている。管理サーバ１０は、ＣＰＵ１１と、メモリ１２とを備えている。ＣＰＵ１１は、メモリ１２に記憶されているプログラムに従って様々な処理を実行する。メモリ１２は、例えばＲＯＭとＲＡＭ（図示省略）を備えている。メモリ１２は、様々な情報を記憶する。管理サーバ１０が実行する情報処理については後述する。
【００１５】
冷蔵庫システム１の店舗サーバ２００は、管理サーバ１０、冷蔵庫２０ａ及び携帯端末装置３０ａと通信可能に接続されている。店舗サーバ２００は、例えばネットスーパーや店舗型スーパーのサーバである。店舗サーバ２００は、ＣＰＵ２０１と、メモリ２０２とを備えている。ＣＰＵ２０１は、メモリ２０２に記憶されているプログラムに従って様々な処理を実行する。メモリ２０２は、例えばＲＯＭとＲＡＭ（図示省略）を備えている。メモリ２０２は、様々な情報を記憶する。店舗サーバ２００が実行する情報処理については後述する。
【００１６】
上記の冷蔵庫システム１は、冷蔵庫２０ａのユーザが料理をする予定であるときに使用することができる。例えば、冷蔵庫２０ａのユーザが冷蔵庫２０ａの庫内に保管されている食材（例えば、じゃが芋、人参、卵等）を用いて何らかの料理をすることを希望しているとする。しかしながら、冷蔵庫２０ａのユーザが、具体的に何の料理をするのかを決めていないとする。すなわち、冷蔵庫２０ａのユーザが料理のレシピを具体的に決めていないとする。上記の冷蔵庫システム１はこのような状況において使用することができる。
【００１７】
次に、上記の冷蔵庫システム１で実行される情報処理について説明する。まず、図４に示す第１冷蔵庫側処理について説明する。第１冷蔵庫側処理は、例えば、冷蔵庫２０ａのユーザが冷蔵庫本体４０ａの入力部４５を操作すると開始される。上記の冷蔵庫システム１では、冷蔵庫２０ａのユーザが、冷蔵庫２０ａの庫内に保管されている食材（例えば、じゃが芋、人参、卵等）を表す庫内食材情報（図３参照）を、冷蔵庫本体４０ａの入力部４５から入力する。
【００１８】
図４に示すように、第１冷蔵庫側処理のＳ１０１では、冷蔵庫本体４０ａの入力部４５から庫内食材情報が入力される。冷蔵庫２０ａのユーザが入力部４５を操作することによって庫内食材情報を入力することができる。庫内食材情報には、食材の賞味期限を表す情報が含まれている（図３参照）。入力部４５から入力された庫内食材情報は、制御部４１のメモリ４３に記憶される。
【００１９】
また、上記の冷蔵庫システム１では、冷蔵庫２０ａのユーザが、料理に関する目標日時（例えば、２０１８年５月２６日、１６：００）を冷蔵庫本体４０ａの入力部４５から入力する。目標日時は、冷蔵庫２０ａのユーザが料理をする予定であるときに、料理を開始することを希望する日時である。なお、現在の日時は２０１８年５月２５日の１７：００であるとする。
【００２０】
図４に示すように、第１冷蔵庫側処理のＳ１０２では、冷蔵庫本体４０ａの入力部４５から料理に関する目標日時が入力される。冷蔵庫２０ａのユーザが入力部４５を操作することによって目標日時を入力することができる。入力部４５から入力された目標日時は、制御部４１のメモリ４３に記憶される。
【００２１】
続くＳ１０３では、冷蔵庫２０ａの制御部４１が、庫内食材情報と目標日時の入力が完了したか否かを監視する。上記のＳ１０１及びＳ１０２で庫内食材情報及び目標日時が入力された場合は、Ｓ１０３で制御部４１がＹＥＳと判断してＳ１０４に進む。そうでない場合は、Ｓ１０３で制御部４１がＮＯと判断してＳ１０１に戻る。
【００２２】
続くＳ１０４では、冷蔵庫２０ａの制御部４１が、入力部４５から入力された庫内食材情報と目標日時を管理サーバ１０に送信する。Ｓ１０４の処理が終了すると第１冷蔵庫側処理が終了する。
【００２３】
次に、図５に示すサーバ側処理について説明する。サーバ側処理は、例えば、管理サーバ１０が冷蔵庫２０ａから所定の開始信号を受信すると開始される。図５に示すように、サーバ側処理のＳ２０１では、管理サーバ１０が、上記のＳ１０４で冷蔵庫２０ａの制御部４１が送信した庫内食材情報と目標日時を受信する。管理サーバ１０は、受信した庫内食材情報と目標日時をメモリ１２に記憶する。
【００２４】
続くＳ２０２では、管理サーバ１０が、受信した庫内食材情報に基づいて少なくとも１つの料理のレシピを特定する。図６に示すように、レシピは、料理、料理方法及び料理の所要時間を表す情報を含んでいる。管理サーバ１０は、冷蔵庫２０ａから受信した庫内食材情報によって表される食材を用いた料理のレシピを特定する。例えば、管理サーバ１０は、庫内食材情報におけるじゃが芋（図３参照）の情報に基づいて、じゃが芋を用いた粉吹き芋のレシピＡ、肉じゃがのレシピＢ、ビーフカレーのレシピＤ、及びクリームシチューのレシピＥ等を特定する（図６参照）。管理サーバ１０は、所定のプログラムに基づいて料理のレシピを特定する。
【００２５】
図５に示すように、続くＳ２０３では、管理サーバ１０が不足食材を特定する。管理サーバ１０は、上記のＳ２０１で受信した庫内食材情報と、上記のＳ２０２で特定した少なくとも１つのレシピとに基づいて、不足食材を特定する。図７に示すように、不足食材は、上記のＳ２０２で特定したレシピの料理を作る際に不足する食材である。すなわち、不足食材は、上記のＳ２０２で特定した各レシピについて、上記のＳ２０１で受信した庫内食材情報で表される食材だけでは不足する食材のことである。各レシピの料理を作る際に、庫内食材情報で表される食材だけでは不足する場合がある。例えば、図６に示すレシピＤのビーフカレーを作る際に、図３に示す庫内食材だけではカレールーが不足する。この場合は、カレールーが不足食材である。また、図６に示すレシピＥのクリームシチューを作る際に、図３に示す庫内食材だけではシチュールーが不足する。この場合は、シチュールーが不足食材である。各レシピの料理を作る際に、庫内食材情報で表される食材で足りている場合は不足食材がない。
【００２６】
図５に示すように、続くＳ２０４では、管理サーバ１０が、外部の店舗サーバ２００に対して、上記のＳ２０３で特定した不足食材に関する情報の取得を要求する。管理サーバ１０が店舗サーバ２００に対して情報の取得を要求すると、店舗サーバ２００が、不足食材に関する情報を管理サーバ１０に送信する。管理サーバ１０がその情報を受信する。不足食材に関する情報は、図８に示すように、例えば、配送日時、割安度等である。配送日時は、不足食材が冷蔵庫２０ａのユーザに配送される際の日時である。例えば、不足食材がカレールーである場合、カレールーが冷蔵庫２０ａのユーザに配送される際の配送日時は２０１８年５月２６日の１５：００である。割安度は、不足食材の定価に対する価格に関する度合である。割安度は、例えば「安い」、「定価」等で表される。例えばカレールーは割安で販売されている。管理サーバ１０は、店舗サーバ２００から取得する情報によって各不足食材の配送日時や割安度等を特定することができる。
【００２７】
図５に示すように、続くＳ２０５では、管理サーバ１０が、不足食材に関する情報を取得したか否かを監視する。管理サーバ１０は、上記のＳ２０４で店舗サーバ２００から不足食材に関する情報を受信した場合は、Ｓ２０５でＹＥＳと判断して「Ａ（図９参照）」に進む。そうでない場合は、Ｓ２０５でＮＯと判断してＳ２０４に戻る。
【００２８】
次に、図９に示す処理について説明する。図９に示す処理は、図６に示す各レシピＡ−Ｇについて実行される。図９のＳ２０６では、管理サーバ１０が、１つのレシピ（例えばレシピＡ）について料理可能日時を特定する。管理サーバ１０は、上記のＳ２０２で特定したレシピと、上記のＳ２０４で特定した配送日時とに基づいて料理可能日時を特定する。料理可能日時は、冷蔵庫２０ａのユーザがレシピ（例えばレシピＡ）の料理を開始することができる日時である。例えば、レシピＡの粉吹き芋については、現時点（２０１８年５月２５日、１７：００）において、粉吹き芋を作るために不足する食材がない。すなわち、粉吹き芋を作るための全ての食材が冷蔵庫２０ａの庫内に存在している。したがって、不足食材が配送される際の配送日時を考慮する必要がない。そのため、図１０に示すように、レシピＡの粉吹き芋については、現時点（２０１８年５月２５日、１７：００）が料理可能日時になる。一方、例えば、レシピＤのビーフカレーについては、ビーフカレーを作るためにはカレールーが不足する。カレールーについては、図８に示すように、冷蔵庫２０ａのユーザに配送される際の配送日時が２０１８年５月２６日の１５：００である。そのため、図１０に示すように、レシピＤのカレールーについては、２０１８年５月２６日の１５：００が料理可能日時になる。また、例えば、レシピＥのクリームシチューについては、クリームシチューを作るためにはシチュールーが不足する。シチュールーについては、図８に示すように、冷蔵庫２０ａのユーザに配送される際の配送日時が２０１８年５月２６日の１８：００である。そのため、図１０に示すように、レシピＥのクリームシチューについては、２０１８年５月２６日の１８：００が料理可能日時になる。
【００２９】
図９に示すように、続くＳ２０７では、管理サーバ１０が、上記のＳ２０６で特定した料理可能日時と、上記のＳ２０１で受信した目標日時とを比較する。管理サーバ１０は、料理可能日時が目標日時より早い場合は、Ｓ２０７でＹＥＳと判断してＳ２０８に進む。そうでない場合は、Ｓ２０７でＮＯと判断してＳ２０９に進む。例えば、上記のＳ２０１で受信した目標日時は、２０１８年５月２６日の１６：００である。また、レシピＡの粉吹き芋については、２０１８年５月２５日の１７：００が料理可能日時である。したがって、レシピＡについては、料理可能日時（２０１８年５月２５日の１７：００）が、目標日時（２０１８年５月２６日の１６：００）より早い。そのため、管理サーバ１０は、レシピＡについては、Ｓ２０７でＹＥＳと判断する。一方、レシピＥのクリームシチューについては、２０１８年５月２６日の１８：００が料理可能日時である。したがって、レシピＥについては、料理可能日時（２０１８年５月２６日の１８：００）が、目標日時（２０１８年５月２６日の１６：００）より遅い。そのため、管理サーバ１０は、レシピＥについては、Ｓ２０７でＮＯと判断する。
【００３０】
上記のＳ２０７でＹＥＳと判断された後のＳ２０８では、管理サーバ１０が、上記のＳ２０７でＹＥＳと判断されたレシピ（例えば、レシピＡ）を冷蔵庫２０ａに送信する。また、Ｓ２０８では、管理サーバ１０が、上記のＳ２０７でＹＥＳと判断されたレシピについて、上記のＳ２０３で特定した不足食材がある場合は、その不足食材を表す不足食材情報を冷蔵庫２０ａに送信する。また、Ｓ２０８では、管理サーバ１０が、上記のＳ２０７でＹＥＳと判断されたレシピについて、上記のＳ２０６で特定した料理可能日時を冷蔵庫２０ａに送信する。また、Ｓ２０８では、管理サーバ１０が、上記のＳ２０４で特定した不足食材に関する情報（配送日時、割安度等）を冷蔵庫２０ａに送信する。
【００３１】
一方、上記のＳ２０７でＮＯと判断された後のＳ２０９では、管理サーバ１０が、上記のＳ２０７でＮＯと判断されたレシピ（例えば、レシピＥ）を冷蔵庫２０ａに送信せずに除外する。
【００３２】
続くＳ３０１では、管理サーバ１０が、図６に示す全てのレシピＡ−Ｇについて上記のＳ２０６からＳ２０９の処理が完了したか否かを判断する。全てのレシピＡ−ＧについてＳ２０６からＳ２０９の処理が完了した場合は、管理サーバ１０は、Ｓ３０１でＹＥＳと判断して処理を終了する。そうでない場合は、管理サーバ１０は、Ｓ３０１でＮＯと判断してＳ３０２に進む。Ｓ３０２では、管理サーバ１０が、次のレシピについて処理を開始する。例えば、管理サーバ１０は、レシピＡの次のレシピＢについて処理を開始する。管理サーバ１０は、レシピＢについて上記のＳ２０６からＳ３０１の処理を実行する。
【００３３】
次に、図１１に示す第２冷蔵庫側処理について説明する。第２冷蔵庫側処理は、例えば、冷蔵庫２０ａの制御部４１が管理サーバ１０から所定の開始信号を受信すると開始される。図１１に示すように、第２冷蔵庫側処理のＳ４０１では、冷蔵庫２０ａの制御部４１が、上記のＳ２０８で管理サーバ１０が送信したレシピ、不足食材情報、料理可能日時、及び不足食材に関する情報（配送日時、割安度等）を受信する。制御部４１は、受信したレシピ、不足食材情報、料理可能日時、及び不足食材に関する情報（配送日時、割安度等）をメモリ４３に記憶する。
【００３４】
続くＳ４０２では、冷蔵庫２０ａの制御部４１が、図１２に示すように、上記のＳ４０１で受信したレシピ、不足食材情報、料理可能日時、及び不足食材に関する情報（配送日時、割安度等）を、冷蔵庫本体４０ａの表示部４４に表示する。制御部４１は、レシピ、不足食材情報、料理可能日時、及び不足食材に関する情報（配送日時、割安度等）を対応させて表示部４４に表示する。例えば、ビーフカレーのレシピＤと、ビーフカレーを作る際に不足するカレールーと、料理を開始することができる時刻（２０１８年５月２６日の１５：００）と、カレールーに関する情報（配送日時は２０１８年５月２６日、安い）とを対応させて表示部４４に表示する。
【００３５】
また、冷蔵庫２０ａの制御部４１は、複数のレシピを表示部４４に表示する際に、各レシピについての料理可能日時が早い順で表示する。また、制御部４１は、表示部４４に表示する不足食材情報が無いレシピについては、そのレシピを最も早い順で表示部４４に表示する。すなわち、制御部４１は、現時点（２０１８年５月２５日、１７：００）において料理を開始することができるレシピを最も早い順で表示部４４に表示する。例えば、制御部４１は、粉吹き芋のレシピＡ、肉じゃがのレシピＢ、人参しりしりのレシピＣを最も早い順で表示部４４に表示する。また、制御部４１は、ビーフカレーのレシピＤをレシピＡ、Ｂ、Ｃより遅い順で表示部４４に表示する。
【００３６】
上記の冷蔵庫システム１では、冷蔵庫２０ａのユーザが、表示部４４に表示されている不足食材情報で表される不足食材（例えば、カレールー）を発注するために、冷蔵庫本体４０ａの入力部４５から発注情報を入力することができる。入力部４５は、不足食材を発注するための発注情報を入力可能に構成されている。
【００３７】
図１１に示すように、第２冷蔵庫側処理のＳ４０３では、冷蔵庫２０ａの制御部４１が、冷蔵庫本体４０ａの入力部４５から発注情報が入力されたか否かを判断する。発注情報が入力された場合は、Ｓ４０３で制御部４１がＹＥＳと判断してＳ４０４に進む。そうでない場合は、Ｓ４０３で制御部４１がＮＯと判断して、Ｓ４０４をスキップして第２冷蔵庫側処理を終了する。
【００３８】
続くＳ４０４では、冷蔵庫２０ａの制御部４１が、上記のＳ４０３で入力された発注情報を管理サーバ１０に送信する。Ｓ４０４の処理が終了すると第２冷蔵庫側処理が終了する。管理サーバ１０は、冷蔵庫２０ａの制御部４１から発注情報を受信すると、その発注情報を店舗サーバ２００に転送する。発注された不足食材が店舗から冷蔵庫２０ａのユーザ宛に配送される。
【００３９】
以上、第１実施例に係る冷蔵庫システム１について説明した。上記の説明から明らかなように、冷蔵庫システム１は、冷蔵庫２０ａと、冷蔵庫２０ａと通信可能な管理サーバ１０とを備えている。冷蔵庫システム１の冷蔵庫２０ａは、料理に関する情報が表示される表示部４４と、料理に関する目標日時が入力される入力部４５とを備えている。また、冷蔵庫２０ａは、入力部４５で入力された目標日時と、冷蔵庫２０ａの庫内の食材を表す庫内食材情報とを管理サーバ１０に送信する制御部４１を備えている。冷蔵庫システム１の管理サーバ１０は、冷蔵庫２０ａから受信した庫内食材情報に基づいて、その庫内食材情報で表される食材を用いた少なくとも１つの料理のレシピを特定する（図５のＳ２０２参照）。また、管理サーバ１０は、特定した少なくとも１つのレシピと庫内食材情報とに基づいて、各レシピについて庫内食材情報で表される食材だけでは食材が不足する場合は不足食材を特定する（図５のＳ２０３参照）。また、管理サーバ１０は、特定した不足食材が冷蔵庫２０ａのユーザに配送される際の配送日時を特定する（図５のＳ２０４参照）。また、管理サーバ１０は、特定した配送日時とレシピとに基づいて、ユーザが料理を作ることができる料理可能日時を特定する（図９のＳ２０６参照）。また、管理サーバ１０は、特定した料理可能日時が冷蔵庫２０ａから受信した目標日時よりも早い場合は、その場合におけるレシピと不足食材を表す不足食材情報とを冷蔵庫２０ａに送信する（図９のＳ２０７でＹＥＳ、Ｓ２０８参照）。冷蔵庫２０ａの制御部４１は、管理サーバ１０から受信したレシピと不足食材情報とを表示部４４に表示する（図１１のＳ４０１、Ｓ４０２参照）。
【００４０】
この構成によれば、冷蔵庫２０ａのユーザが入力部４５から入力した目標日時に応じて、目標日時までに料理可能なレシピが表示部４４に表示されるので、料理をするユーザにとっての使い勝手を向上させることができる。また、レシピが表示部４４に表示される際に、そのレシピの料理を作る際に不足する食材がある場合は、不足食材情報が併せて表示部４４に表示されるので、料理をするユーザにとっての使い勝手を向上させることができる。
【００４１】
また、上記の冷蔵庫システム１では、冷蔵庫２０ａの入力部４５が、冷蔵庫２０ａの庫内の食材を表す庫内食材情報を入力可能に構成されている。冷蔵庫２０ａの制御部４１は、入力部４５で入力された庫内食材情報を管理サーバ１０に送信する（図４のＳ１０１、Ｓ１０４参照）。この構成によれば、冷蔵庫２０ａのユーザの好みに応じた庫内食材情報を入力部４５から入力することができる。そのため、冷蔵庫２０ａのユーザの好みの食材を用いたレシピを表示部４４に表示させることができ、ユーザにとっての使い勝手を向上させることができる。
【００４２】
また、上記の冷蔵庫システム１では、冷蔵庫２０ａの入力部４５が、表示部４４に表示された不足食材情報で表される食材を発注する発注情報を入力可能に構成されている。冷蔵庫２０ａの制御部４１は、入力部４５で入力された発注情報を管理サーバ１０に送信する（図４のＳ４０３、Ｓ４０４参照）。この構成によれば、不足食材を発注することができるので、ユーザにとっての使い勝手を向上させることができる。
【００４３】
また、上記の冷蔵庫システム１では、冷蔵庫２０ａの入力部４５が、管理サーバ１０から受信したレシピと不足食材情報とを表示部４４に表示する際に、料理可能日時が早い順で表示し、表示する不足食材情報が無い場合は、その場合のレシピを最も早い順で表示する。この構成によれば、料理を開始することができる順でレシピが表示されるので、ユーザにとっての使い勝手を向上させることができる。
【００４４】
以上、一実施例について説明したが、具体的な態様は上記実施例に限定されるものではない。以下の説明において、上述の説明における構成と同様の構成については、同一の符号を付して説明を省略する。
【００４５】
（第２実施例）
第２実施例に係る冷蔵庫システムについて図面を参照して説明する。図１３及び図１４に示すように、第２実施例に係る冷蔵庫システム１では、冷蔵庫２０ａが検出部４６を備えている。検出部４６は、冷蔵庫２０ａの庫内に配置されている。検出部４６は、例えば冷蔵庫２０ａの庫内の様子を撮影することができるカメラである。検出部４６は、冷蔵庫２０ａの庫内の様子をカメラによって撮影することによって、庫内に保管されている食材を検出することができる。検出部４６が冷蔵庫２０ａの庫内の食材を検出すると、冷蔵庫２０ａの庫内の食材を表す庫内食材情報が生成される。生成された庫内食材情報は、制御部４１のメモリ４３に記憶される。
【００４６】
上記の第１実施例では、図４に示すように、第１冷蔵庫側処理のＳ１０１で庫内食材情報が冷蔵庫２０ａの入力部４５から入力されていたが、第２実施例ではＳ１０１の処理が省略されてもよい。また、第２実施例では、Ｓ１０４で冷蔵庫２０ａの制御部４１が庫内食材情報を管理サーバ１０に送信する際に、上記のように検出部４６によって生成された庫内食材情報を送信する。すなわち、冷蔵庫２０ａの制御部４１は、検出部４６が検出した食材を表す庫内食材情報を管理サーバ１０に送信する。第２実施例に係る冷蔵庫システム１によれば、冷蔵庫２０ａのユーザが入力部４５から庫内食材情報を入力しなくても、検出部４６が冷蔵庫２０ａの庫内の食材を検出することによって庫内食材情報が自動で管理サーバ１０に送信されるので、ユーザにとっての使い勝手を向上させることができる。
【００４７】
（第３実施例）
第３実施例に係る冷蔵庫システムについて図面を参照して説明する。上記の第１実施例では、図９に示すように、管理サーバ１０がＳ２０６で料理可能日時を特定していた。第３実施例では、図１５に示すように、管理サーバ１０が、Ｓ２０６で料理可能日時を特定する際に、料理完了日時を併せて特定する。管理サーバ１０は、上記のＳ２０２で特定したレシピと、Ｓ２０６で特定した料理可能日時とに基づいて料理完了日時を特定する。料理完了日時は、冷蔵庫２０ａのユーザがレシピの料理を作る際にその料理が完了する日時である。例えば、レシピＡの粉吹き芋については、上述したように、現時点（２０１８年５月２５日、１７：００）が料理可能日時である（図１０参照）。また、図６に示すように、レシピＡの粉吹き芋については、料理の所要時間が３０分である。料理の所要時間は、料理開始から料理完了までに要する時間である。したがって、図１６に示すように、レシピＡの粉吹き芋については、冷蔵庫２０ａのユーザが料理可能日時に料理を開始したとすると、料理完了日時が２０１８年５月２５日の１７：３０となる。また、例えば、レシピＥのクリームシチューについては、上述したように、２０１８年５月２６日の１８：００が料理可能日時である（図１０参照）。また、図６に示すように、レシピＥのクリームシチューについては、料理の所要時間が１時間４５分である。したがって、図１６に示すように、レシピＥのクリームシチューについては、冷蔵庫２０ａのユーザが料理可能日時に料理を開始したとすると、料理完了日時が２０１８年５月２６日の１９：４５となる。
【００４８】
また、上記の第１実施例では、図９に示すように、管理サーバ１０がＳ２０７で料理可能日時と目標日時とを比較していた。第３実施例では、図１５に示すように、Ｓ２０７で、管理サーバ１０が、上記のＳ２０６で特定した料理完了日時と、上記のＳ２０１で受信した目標日時とを比較する。管理サーバ１０は、料理可能日時に代えて、料理完了日時と目標日時とを比較する。管理サーバ１０は、料理完了日時が目標日時より早い場合は、Ｓ２０７でＹＥＳと判断してＳ２０８に進む。そうでない場合は、Ｓ２０７でＮＯと判断してＳ２０９に進む。例えば、レシピＡの粉吹き芋については、２０１８年５月２５日の１７：３０が料理完了日時である。したがって、レシピＡについては、料理完了日時（２０１８年５月２５日の１７：３０）が、目標日時（２０１８年５月２６日の１６：００）より早い。そのため、管理サーバ１０は、レシピＡについては、Ｓ２０７でＹＥＳと判断する。一方、レシピＥのクリームシチューについては、２０１８年５月２６日の１９：４５が料理完了日時である。したがって、レシピＥについては、料理完了日時（２０１８年５月２６日の１９：４５）が、目標日時（２０１８年５月２６日の１６：００）より遅い。そのため、管理サーバ１０は、レシピＥについては、Ｓ２０７でＮＯと判断する。
【００４９】
上記のＳ２０７でＹＥＳと判断された後のＳ２０８では、管理サーバ１０が、Ｓ２０７でＹＥＳと判断されたレシピについて、上記のＳ２０６で特定した料理完了日時を冷蔵庫２０ａに送信する。
【００５０】
また、第３実施例では、図１７に示すように、第２冷蔵庫側処理のＳ４０１で、冷蔵庫２０ａの制御部４１が、上記のＳ２０８で管理サーバ１０が送信した料理完了日時を受信する。制御部４１は、受信した料理完了日時をメモリ４３に記憶する。また、続くＳ４０２では、冷蔵庫２０ａの制御部４１が、Ｓ４０１で受信した料理完了日時を表示部４４に表示する。制御部４１は、レシピ、不足食材情報、料理可能日時及び料理完了日時を対応させて表示部４４に表示する。
【００５１】
以上、第３実施例に係る冷蔵庫システム１について説明した。上記の説明から明らかなように、図６に示すレシピには料理の所要時間を表す情報が含まれている。冷蔵庫システム１の管理サーバ１０は、特定した配送日時とレシピとに基づいて、ユーザが料理を作ることができる料理可能日時を特定する際に、料理の所要時間に基づいて、料理が完了する料理完了日時を特定する（図１５のＳ２０６参照）。また、管理サーバ１０は、特定した料理完了日時が冷蔵庫２０ａから受信した目標日時よりも早い場合は、その場合におけるレシピと不足食材情報とを冷蔵庫２０ａに送信する（図１５のＳ２０７、Ｓ２０８参照）。この構成によれば、料理完了日時に応じてレシピが表示部４４に表示されるので、料理をするユーザにとっての使い勝手を向上させることができる。
【００５２】
（第４実施例）
第４実施例に係る冷蔵庫システムについて説明する。第１実施例では、冷蔵庫２０ａの制御部４１がレシピと不足食材情報とを表示部４４に表示する際に、レシピについての料理可能日時が早い順で表示していたが、この構成に限定されるものではない。第４実施例では、冷蔵庫２０ａの制御部４１がレシピと不足食材情報とを表示部４４に表示する際に、庫内食材情報に基づいて、食材の賞味期限が早い順で表示する。図３に示すように、庫内食材情報には、食材の賞味期限を表す情報が含まれている。例えば、じゃが芋の賞味期限は２日であり、人参の賞味期限は３日である。冷蔵庫２０ａの制御部４１は、庫内食材情報に含まれる賞味期限に基づいて、レシピの料理に用いられる食材の賞味期限が早い順で表示部４４にレシピを表示する。例えば、じゃが芋の賞味期限は人参の賞味期限より早いので、制御部４１は、じゃが芋を用いた粉吹き芋のレシピＡを、人参を用いた人参しりしりのレシピＣより早い順で表示部４４に表示する。制御部４１は、食材の賞味期限によって表示部４４に表示するレシピの順を変更する。この構成によれば、食材の賞味期限が早い順でレシピが表示されるので、ユーザにとっての使い勝手を向上させることができる。
【００５３】
（第５実施例）
第５実施例に係る冷蔵庫システムについて説明する。第５実施例では、冷蔵庫２０ａの制御部４１がレシピと不足食材情報とを表示部４４に表示する際に、店舗における不足食材に関する情報に基づいて所定の順で表示部４４にレシピを表示する。すなわち、管理サーバ１０が店舗サーバ２００から取得した不足食材に関する情報に基づいて複数のレシピの表示順が決定される。例えば、制御部４１は、図８に示す不足食材に関する情報に基づいて、不足食材の割安度の順でレシピを表示部４４に表示する。例えば、図８に示すように、カレールーは割安で販売されており、シチュールーは定価で販売されている。したがって、制御部４１は、カレールーを用いたビーフカレーのレシピＤを、シチュールーを用いたクリームシチューのレシピＥより早い順で表示部４４に表示する。制御部４１は、不足食材の割安度によって表示部４４に表示するレシピの順を変更する。この構成によれば、割安な食材を用いた料理のレシピが早い順でレシピが表示されるので、ユーザにとっての使い勝手を向上させることができる。また、店舗が販売したい食材を用いたレシピを早い順で表示することができる。
【００５４】
（第６実施例）
第６実施例に係る冷蔵庫システムについて説明する。第６実施例では、冷蔵庫２０ａのユーザが、冷蔵庫本体４０ａの入力部４５から優先度を表す情報を入力する。入力部４５は、優先度を表す情報を入力可能に構成されている。冷蔵庫２０ａの制御部４１は、レシピと不足食材情報とを表示部４４に表示する際に、入力部４５から入力された優先度の順でレシピを表示する。例えば、優先度として食材の賞味期限が選択された場合は、制御部４１は、レシピと不足食材情報とを表示部４４に表示する際に、食材の賞味期限が早い順で表示部４４にレシピを表示する。また、例えば、優先度として不足食材の割安度が選択された場合は、制御部４１は、レシピと不足食材情報とを表示部４４に表示する際に、不足食材の割安度の順でレシピを表示部４４に表示する。この構成によれば、冷蔵庫２０ａのユーザによって入力された優先度の順でレシピが表示されるので、ユーザにとっての使い勝手を向上させることができる。
【００５５】
（第７実施例）
第７実施例に係る冷蔵庫システムについて図面を参照して説明する。第７実施例に係る冷蔵庫システム１では、図１８に示す第１携帯端末装置側処理が実行される。第１携帯端末装置側処理は、例えば、冷蔵庫２０ａ（または、携帯端末装置３０ａ）のユーザが携帯端末装置３０ａの入力部６５を操作すると開始される。第７実施例に係る冷蔵庫システム１では、冷蔵庫２０ａ（または、携帯端末装置３０ａ）のユーザが、冷蔵庫２０ａの庫内に保管されている食材（例えば、じゃが芋、人参、卵等）を表す庫内食材情報（図３参照）を、携帯端末装置３０ａの入力部６５から入力する。
【００５６】
図１８に示すように、第１携帯端末装置側処理のＳ５０１では、携帯端末装置３０ａの入力部６５から庫内食材情報が入力される。冷蔵庫２０ａ（または、携帯端末装置３０ａ）のユーザが入力部６５を操作することによって庫内食材情報を入力することができる。庫内食材情報には、食材の賞味期限を表す情報が含まれている（図３参照）。入力部６５から入力された庫内食材情報は、制御部６１のメモリ６３に記憶される。
【００５７】
また、第７実施例に係る冷蔵庫システム１では、冷蔵庫２０ａ（または、携帯端末装置３０ａ）のユーザが、料理に関する目標日時（例えば、２０１８年５月２６日、１６：００）を携帯端末装置３０ａの入力部６５から入力する。目標日時は、冷蔵庫２０ａのユーザが料理をする予定であるときに、料理を開始することを希望する日時である。なお、現在の日時は２０１８年５月２５日の１７：００であるとする。
【００５８】
図１８に示すように、第１携帯端末装置側処理のＳ５０２では、携帯端末装置３０ａの入力部６５から料理に関する目標日時が入力される。冷蔵庫２０ａ（または、携帯端末装置３０ａ）のユーザが入力部６５を操作することによって目標日時を入力することができる。入力部６５から入力された目標日時は、制御部６１のメモリ６３に記憶される。
【００５９】
続くＳ５０３では、携帯端末装置３０ａの制御部６１が、庫内食材情報と目標日時の入力が完了したか否かを監視する。上記のＳ５０１及びＳ５０２で庫内食材情報及び目標日時が入力された場合は、Ｓ５０３で制御部４１がＹＥＳと判断してＳ５０４に進む。そうでない場合は、Ｓ５０３で制御部６１がＮＯと判断してＳ５０１に戻る。
【００６０】
続くＳ５０４では、携帯端末装置３０ａの制御部６１が、入力部６５から入力された庫内食材情報と目標日時を管理サーバ１０に送信する。Ｓ５０４の処理が終了すると第１携帯端末装置側処理が終了する。
【００６１】
次に、図５に示すサーバ側処理について説明する。第７実施例では、サーバ側処理は、例えば、管理サーバ１０が携帯端末装置３０ａから所定の開始信号を受信すると開始される。サーバ側処理については、第１実施例で冷蔵庫２０ａの制御部４１が送信した庫内食材情報と目標日時を、第７実施例で携帯端末装置３０ａの制御部６１が送信した庫内食材情報と目標日時に読み替えることによって説明することができる。したがって、第７実施例については、必要な部分のみを説明して、その他の部分については詳細な説明を省略する。
【００６２】
第７実施例では、図５に示すように、サーバ側処理のＳ２０１では、管理サーバ１０が、上記のＳ５０４で携帯端末装置３０ａの制御部４１が送信した庫内食材情報と目標日時を受信する。管理サーバ１０は、受信した庫内食材情報と目標日時をメモリ１２に記憶する。管理サーバ１０は、携帯端末装置３０ａの制御部４１から受信した庫内食材情報と目標日時に基づいてその後のＳ２０２からＳ２０５の処理を実行する。
【００６３】
また、第７実施例では、図９に示すように、サーバ側処理のＳ２０７では、管理サーバ１０が、上記のＳ２０６で特定した料理可能日時と、上記のＳ２０１で携帯端末装置３０ａの制御部４１から受信した目標日時とを比較する。携帯端末装置３０ａの制御部４１から受信した目標日時は、例えば２０１８年５月２６日の１６：００である。管理サーバ１０は、料理可能日時が目標日時より早い場合は、Ｓ２０７でＹＥＳと判断してＳ２０８に進む。そうでない場合は、Ｓ２０７でＮＯと判断してＳ２０９に進む。
【００６４】
次に、図１９に示す第２携帯端末装置側処理について説明する。第２携帯端末装置側処理は、例えば、携帯端末装置３０ａの制御部６１が管理サーバ１０から所定の開始信号を受信すると開始される。第２携帯端末装置側処理のＳ６０１では、携帯端末装置３０ａの制御部６１が、上記のＳ２０８で管理サーバ１０が送信したレシピ、不足食材情報、料理可能日時、及び不足食材に関する情報（配送日時、割安度等）を受信する。制御部６１は、受信したレシピ、不足食材情報、料理可能日時、及び不足食材に関する情報（配送日時、割安度等）をメモリ６３に記憶する。
【００６５】
続くＳ６０２では、携帯端末装置３０ａの制御部６１が、上記のＳ６０１で受信したレシピ、不足食材情報、料理可能日時、及び不足食材に関する情報（配送日時、割安度等）を、携帯端末装置３０ａの表示部６４に表示する（図１２参照）。制御部６１は、レシピ、不足食材情報、料理可能日時、及び不足食材に関する情報（配送日時、割安度等）を対応させて表示部６４に表示する。例えば、ビーフカレーのレシピＤと、ビーフカレーを作る際に不足するカレールーと、料理を開始することができる時刻（２０１８年５月２６日の１５：００）と、カレールーに関する情報（配送日時は２０１８年５月２６日、安い）とを対応させて表示部６４に表示する。また、制御部６１は、レシピ、不足食材情報、料理可能日時、及び不足食材に関する情報（配送日時、割安度等）を対応させて冷蔵庫２０ａの表示部４４に表示する。
【００６６】
また、携帯端末装置３０ａの制御部６１は、複数のレシピを表示部６４に表示する際に、各レシピについての料理可能日時が早い順で表示する。また、制御部６１は、表示部６４に表示する不足食材情報が無いレシピについては、そのレシピを最も早い順で表示部６４に表示する。すなわち、制御部６１は、現時点（２０１８年５月２５日、１７：００）において料理を開始することができるレシピを最も早い順で表示部６４に表示する。例えば、制御部６１は、粉吹き芋のレシピＡ、肉じゃがのレシピＢ、人参しりしりのレシピＣを最も早い順で表示部６４に表示する。また、制御部６１は、ビーフカレーのレシピＤをレシピＡ、Ｂ、Ｃより遅い順で表示部６４に表示する。
【００６７】
上記の冷蔵庫システム１では、冷蔵庫２０ａ（または、携帯端末装置３０ａ）のユーザが、表示部６４に表示されている不足食材情報で表される不足食材を発注するために、入力部６５から発注情報を入力することができる。携帯端末装置３０ａの入力部６５は、不足食材を発注するための発注情報を入力可能に構成されている。
【００６８】
図１９に示すように、第２携帯端末装置側処理のＳ６０３では、携帯端末装置３０ａの制御部６１が、入力部６５から発注情報が入力されたか否かを判断する。発注情報が入力された場合は、Ｓ６０３で制御部６１がＹＥＳと判断してＳ６０４に進む。そうでない場合は、Ｓ６０３で制御部６１がＮＯと判断して、Ｓ６０４をスキップして第２携帯端末装置側処理を終了する。
【００６９】
続くＳ６０４では、携帯端末装置３０ａの制御部６１が、上記のＳ６０３で入力された発注情報を管理サーバ１０に送信する。Ｓ６０４の処理が終了すると第２携帯端末装置側処理が終了する。管理サーバ１０は、携帯端末装置３０ａの制御部６１から発注情報を受信すると、その発注情報を店舗サーバ２００に転送する。発注された不足食材が店舗から冷蔵庫２０ａのユーザ宛に配送される。
【００７０】
以上、第７実施例に係る冷蔵庫システム１について説明した。上記の説明から明らかなように、第７実施例に係る冷蔵庫システム１は、冷蔵庫２０ａと管理サーバ１０と通信可能な携帯端末装置３０ａを備えている。携帯端末装置３０ａは、料理に関する情報が表示される表示部６４と、料理に関する目標日時が入力される入力部６５とを備えている。また、携帯端末装置３０ａは、入力部６５で入力された目標日時を管理サーバ１０に送信する制御部６１を備えている。冷蔵庫システム１の管理サーバ１０は、特定した料理可能日時が携帯端末装置３０ａから受信した目標日時よりも早い場合は、レシピと不足食材情報とを携帯端末装置３０ａに送信する（図９のＳ２０７でＹＥＳ、Ｓ２０８参照）。携帯端末装置３０ａの制御部６１は、管理サーバ１０から受信したレシピと不足食材情報とを携帯端末装置３０ａの表示部６４に表示する。
【００７１】
この構成によれば、目標日時までに料理可能なレシピが携帯端末装置３０ａの表示部６４に表示されるので、料理をするユーザにとっての使い勝手を向上させることができる。また、不足食材情報が併せて携帯端末装置３０ａの表示部６４に表示されるので、料理をするユーザにとっての使い勝手を向上させることができる。
【００７２】
（その他の実施例）
上記の実施例では、目標日時は、冷蔵庫２０ａのユーザが料理をする予定であるときに、料理を開始することを希望する日時であったが、この構成に限定されるものではない。他の実施例では、目標日時は、冷蔵庫２０ａのユーザが料理をする予定であるときに、料理が完了することを希望する日時であってもよい。
【００７３】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７４】
１：冷蔵庫システム、１０：管理サーバ、２０ａ：冷蔵庫、３０：携帯端末装置、４０ａ：冷蔵庫本体、４１：制御部、４４：表示部、４５：入力部、４６：検出部、５０：ネットワーク、６１：制御部、６４：表示部、６５：入力部、２００：店舗サーバ
【図１】
2020041714.tif 000003
【図２】
2020041714.tif 000004
【図３】
2020041714.tif 000005
【図４】
2020041714.tif 000006
【図５】
2020041714.tif 000007
【図６】
2020041714.tif 000008
【図７】
2020041714.tif 000009
【図８】
2020041714.tif 000010
【図９】
2020041714.tif 000011
【図１０】
2020041714.tif 000012
【図１１】
2020041714.tif 000013
【図１２】
2020041714.tif 000014
【図１３】
2020041714.tif 000015
【図１４】
2020041714.tif 000016
【図１５】
2020041714.tif 000017
【図１６】
2020041714.tif 000018
【図１７】
2020041714.tif 000019
【図１８】
2020041714.tif 000020
【図１９】
2020041714.tif 000021